(57)【要約】【課題】  異なる印刷用紙の再現テストにおいて、実際の印刷用紙サイズに対して相対的な印刷位置がわかりやすく、かつ不具合を正確に再現することを目的とする。【解決手段】  印刷用紙に対して印刷を実施する印刷機構部１１と、任意の用紙サイズ枠を印刷する用紙サイズ枠印刷手段１３と、用紙サイズ枠印刷手段13により印刷したページ分逆方向紙送りを実施する手段１４と、印刷データを制御コード体系に基づき解析して印刷する通常印刷手段１５とを備えたことを特徴とする。【選択図】  図４
2008126568.tif 000002
【特許請求の範囲】
【請求項１】
印刷用紙に対して印刷を実施する印刷機構部と、該印刷機構部の動作を制御する印刷制御部とを具備する印刷装置において、
前記印刷制御部には、任意の用紙サイズ枠を印刷する用紙サイズ枠印刷手段と、その用紙サイズ枠印刷手段により印刷したページ分逆方向紙送りを実施する手段と、印刷データを制御コード体系に基づき解析して印刷する通常印刷手段とを備えたことを特徴とする印刷装置。
【請求項２】
請求項１記載の印刷装置において、
前記印刷制御部は、印刷用紙サイズ枠を選択する手段と、印刷するページ数を選択する手段とを備えており、前記印刷用紙サイズ枠を選択する手段と印刷するページ数を選択する手段とにより用紙サイズ枠印刷を実施することを特徴とする印刷装置。
【請求項３】
請求項１又は２記載の印刷装置において、前記印刷用紙が連続紙であることを特徴とする印刷装置。
【発明の詳細な説明】
【技術分野】
【０００１】
本発明は、印刷用紙として連続紙を使用する印刷装置に係り、特にその印刷装置の再現テスト技術に関する。
【背景技術】
【０００２】
連続紙を使用した印刷において、印刷不具合が発生した場合の再現テストでは、不具合が発生した時に使用していた印刷用紙と同じ印刷用紙を使用して行うべきであるが、不具合が発生した時に使用していた印刷用紙を準備できず、異なる印刷用紙を使用して再現テストを実施することが多い。
【０００３】
異なる印刷用紙でも再現テストを実施することは可能だが、実際の印刷用紙サイズに対して、縦方向や横方向の相対的な印刷位置が分かりにくいという欠点があった。
【０００４】
また、指定した用紙サイズよりも大きな用紙サイズの印刷用紙に印刷処理を施す場合、出力データとともに指定サイズの用紙枠を印刷する印刷装置もある（例えば、特許文献１参照）。
【０００５】
【特許文献１】特開平７−９７３８号公報
【発明の開示】
【発明が解決しようとする課題】
【０００６】
印刷不具合が発生して、異なる印刷用紙を使用して再現テストを実施した場合、印刷不具合を正確に再現できるが、実際の印刷用紙サイズに対して、縦方向や横方向の相対的な印刷位置がわかりにくかった。
【０００７】
また、異なる印刷用紙を使用して、出力データとともに指定サイズの用紙枠を同時に印刷する技術を使用した場合、印刷用紙サイズに対して、縦方向や横方向の相対的な印刷位置がわかりやすいが、実際の印刷データとともに指定サイズ枠を同時に印刷することにより、印刷処理の内部動作が変化して、印刷不具合を正確に再現出来ない可能性があった。
【０００８】
本発明は前記課題を解決して、異なる印刷用紙の再現テストにおいて、実際の印刷用紙サイズに対して相対的な印刷位置が分かり易く、かつ不具合を正確に再現することを目的とする。
【課題を解決するための手段】
【０００９】
前記目的を達成するため本発明の第１の手段は、印刷用紙に対して印刷を実施する印刷機構部と、該印刷機構部の動作を制御する印刷制御部とを具備する印刷装置において、前記印刷制御部には、任意の用紙サイズ枠を印刷する用紙サイズ枠印刷手段と、その用紙サイズ枠印刷手段により印刷したページ分逆方向紙送りを実施する手段と、印刷データを制御コード体系に基づき解析して印刷する通常印刷手段とを備えたことを特徴とするものである。
【００１０】
本発明の第２の手段は前記第１の手段において、前記印刷制御部は、印刷用紙サイズ枠を選択する手段と、印刷するページ数を選択する手段とを備えており、前記印刷用紙サイズ枠を選択する手段と印刷するページ数を選択する手段とにより用紙サイズ枠印刷を実施することを特徴とするものである。
【００１１】
本発明の第３の手段は前記第１または第２の手段において、前記印刷用紙が連続紙であることを特徴とするものである。
【発明の効果】
【００１２】
本発明によれば、異なる印刷用紙サイズに対して、任意の用紙サイズ枠を印刷後、逆方向紙送りを実施してから、通常印刷を実施する為、異なる印刷用紙を使用しての再現テストにおいて、実際の印刷用紙サイズに対して相対的な印刷位置がわかりやすく、かつ不具合を正確に再現することが可能となる。
【発明を実施するための最良の形態】
【００１３】
以下、本発明の実施形態について図面を参照して説明する。図１は、本発明の実施形態に係る印刷装置のブロック図である。
【００１４】
図１において、１１は連続紙に対して印刷を実施する印刷機構部、１２は前記印刷機構部１１の動作を制御する印刷制御部である。図示していないが前記印刷機構部１１は、複数の印刷ハンマを具備するハンマバンク、紙送り装置などを備えている。
【００１５】
前記印刷制御部１２は、任意の用紙サイズ枠を指定ページ分印刷する用紙サイズ枠印刷手段１３、その用紙サイズ枠印刷手段１３により印刷したページ分逆方向紙送りを実施する手段１４、印刷データを制御コード体系に基づき解析して印刷する手段１５、印刷用紙サイズ枠の種類とページ数を選択する手段１６などを備えている。
【００１６】
図２は、本発明による再現テストのフローチャートである。同図に示すようにＳ２１で印刷する用紙サイズ枠の種類、ページ数を選択して、Ｓ２２で用紙サイズ枠の１ページ印刷を実施し、Ｓ２３で指定ページ数印刷したかの判別を実施して、指定ページ数印刷していない場合は、Ｓ２２で再度用紙サイズ枠を１ページ印刷する。
【００１７】
指定ページ数印刷した場合は、Ｓ２４で用紙サイズ枠１ページ分の逆方向紙送り処理を行い、Ｓ２５で指定ページ数逆方向紙送り処理を実施したかの判別を実施して、指定ページ数逆方向紙送りを実施していなかった場合は、Ｓ２４で再度用紙サイズ枠１ページ分の逆方向紙送りを実施する。指定ページ数逆方向紙送りを実施した場合は、Ｓ２６で通常の印刷処理を実施する、
図３は、本発明の用紙サイズ枠印刷において印刷する用紙サイズ枠の種類とページ数を選択する場合の操作パネル表示例である。操作パネル上段に印刷用紙サイズ枠の選択項目を表示して、操作パネル下段に用紙サイズ枠として「５×９」、ページ数として「４」を表示している。
【００１８】
図４は、本発明により、用紙サイズ枠を「９×５インチ  ４ページ」に指定して、１５×１１インチの用紙を使用して再現テストを実施した場合の例を示す図である。図中の４１は１５×１１インチの用紙をセットした状態、４２は９×５インチの用紙サイズ枠を１ページ印刷した状態、４３は９×５インチの用紙サイズ枠を４ページ印刷した状態、４４は９×５インチの用紙サイズ枠分逆方向紙送りを実施した状態、４５は９×５インチの用紙サイズ枠を４ページ分逆方向紙送りを実施した状態、４６は通常印刷している状態、４７は通常印刷が終了した状態である。
【００１９】
従って、本発明の再現テストの実施にて、異なる印刷用紙を使用しての再現テストにおいて、実際の印刷用紙サイズに対して相対的な印刷位置が分かり易く、かつ不具合を正確に再現することが可能となる。
【００２０】
上述した例では、印刷機構部として複数の印刷ハンマを備えたドットラインプリンタを挙げたが、感光体、帯電装置、露光装置、現像装置、転写装置、定着装置、クリーニング装置、紙送り装置などを備えた画像形成記録装置においても本発明を利用できる。
【図面の簡単な説明】
【００２１】
【図１】本発明の実施形態に係る印刷装置のブロック図である。
【図２】本発明による再現テストのフローチャートである。
【図３】本発明の実施形態に係る印刷用紙サイズ枠を選択するパネル表示例を示す図である。
【図４】本発明の実施形態に係る再現テストの例を示す図である。
【符号の説明】
【００２２】
１１は印刷機構部、１２は印刷制御部、１３は印刷用紙サイズ枠を印刷する手段、１４は逆方向紙送りを実施する手段、１５は通常印刷を実施する手段、１６は印刷用紙サイズ枠を選択する手段である。
【図１】
2008126568.tif 000003
【図２】
2008126568.tif 000004
【図３】
2008126568.tif 000005
【図４】
2008126568.tif 000006